(57)【要約】      （修正有）【課題】撮影者が最適な位置にスイッチ位置を調整、固定することが可能であり、デザインの自由度が確保されながらガタツキなく製品の小型・軽量・低コスト化を実現したレンズ鏡筒を提供する。【解決手段】レンズ鏡筒１００は、円周方向へ移動する円筒形状の操作部１０１を有し、操作部１０１は、その円周上に１つ以上のスイッチおよび、ロック部材Ａ１０２とを有する。レンズ鏡筒１００のロック部材Ａ１０２を回転操作することにより、操作部１０１の円周方向への移動のロックとアンロックとを切り替え、操作部１０１を円周方向へ移動、固定することにより、スイッチを最適な位置に調整、固定することが可能となる。【選択図】図１
2018124301.tif 000002
【特許請求の範囲】
【請求項１】
レンズ鏡筒外観を構成し、円周方向へ移動する円筒形状の操作部と、
前記操作部は同一円周状に１つ以上の操作手段を有し、
前記レンズ鏡筒の一部であって、前記操作部と係合する固定部と、
前記固定部に前記操作部を固定するロック部と、
を有するレンズ鏡筒において、
固定筒は、前記ロック部をガイドするためのガイド部を備え、
前記ロック部は、部材１と部材２とネジからなり、
前記部材１はレンズ鏡筒外観を構成し、前記部材１を回転させることで前記ロック部と前記固定部との締結と開放を切り替えることが可能であり、
前記部材２は前記固定部に設けられた前記ガイド部と係合することで、前記操作手段は前記円周方向を移動し、
前記部材１と前記部材２は螺合し、
前記ネジは、前記部材１と螺合し、前記部材２と係合することで前記部材１の脱落防止することを特徴とするレンズ鏡筒。
【請求項２】
前記ロック部は、さらにＯリングを有し、
前記Ｏリングは、前記部材１と前記操作部との摺動部に位置することを特徴とする請求項１に記載のレンズ鏡筒。
【請求項３】
前記ガイド部は、前記固定筒の鏡室部分以外の位置に配置する ことを特徴とする請求項１又は請求項２に記載のレンズ鏡筒。
【請求項４】
前記ガイド部はプレスパーツであることを特徴とする請求項１乃至請求項３のいずれかに記載のレンズ鏡筒。
【請求項５】
以下に示す条件式を満足することを特徴とする請求項１乃至請求項４のいずれかに記載のレンズ鏡筒。
（１）      Ｘ＜Ｙ
Ｘ：前記部材１と前記部材２の螺合する長さ
Ｙ：前記部材２と係止するまでの前記ネジの移動可能長さ
【発明の詳細な説明】
【技術分野】
【０００１】
本発明は、所定の機能を操作するためのスイッチを有するレンズ鏡筒に関する。
【背景技術】
【０００２】
一部のレンズ鏡筒の外観部には、撮影者が撮影中にレンズ鏡筒の機能を制御するためのスイッチが配置されている。
【０００３】
従来、レンズ鏡筒の外観に配置された機能を制御するためのスイッチは、レンズ鏡筒に固定されレンズ鏡筒の外観を構成する外観部の一部に取り付けられる。従って、外観部に位置するスイッチも固定されているため、光軸周りに回転することは不可能となっていた。
【０００４】
そのため、様々な撮影状況に対応するために、レンズ鏡筒の同一円周上に４つのスイッチを設けることで、撮影者にスイッチの操作をしやすくしていた。
【０００５】
しかし、スイッチが光軸周りで回転できないのでは、撮影者のレンズ鏡筒の保持位置によってはスイッチが適切な位置でないことがある。その結果、レンズ鏡筒の操作性が低下する。
【０００６】
そこで、特許文献１と特許文献２には、レンズ鏡筒の各種動作を駆動させるスイッチを撮影者の好みに合った位置に調整することで、操作性の向上ができるレンズ鏡筒が開示されている。
【先行技術文献】
【特許文献】
【０００７】
【特許文献１】特開２０１２−１５４９９７号公報
【特許文献２】特開平１０−１６０９９５号公報
【発明の概要】
【発明が解決しようとする課題】
【０００８】
しかしながら、特許文献１に記載のレンズ鏡筒は、周方向に複数配置された係合溝のうち任意の位相の係合溝と係合部材の係合及び解除を行うので、この固定方法ではガタを完全になくすことができない。従って、操作部材がガタつく恐れがあるという課題を有する。
【０００９】
また、撮影者は複数配置される係合溝の中から適切な位置にスイッチが調整された際の係合溝と係合部材を固定させるので、段階的にしか調整できない。従って、撮影者にとって最適な位置に調整しようとすると限界があるという課題を有する。
【００１０】
さらには、特許文献１に記載のスイッチの位置を変更する場合には、レンズ鏡筒の製造元に依頼しなければならず、撮影者自身でスイッチの位置を調整できないという課題を有する。
【００１１】
次に、特許文献２に記載のレンズ鏡筒は、内部固定筒にロック部材を押し当てる構造となっている。このような構造の場合、ロック部材が内部固定筒に押し当てられることで内部固定筒が変形し、光学性能に影響を与えることが懸念される。従って、光学性能に影響を与えずに位置変更用のリングを固定する力量を得るためには、内部固定筒の強度を上げて変形を抑える必要がある。その結果、重量の増加・大型化・コストＵＰという課題を有する。
【００１２】
加えて、特許文献２に記載のレンズ鏡筒は、実施例を見る限りロック部材がつまみダイヤルのようにレンズ鏡筒側面から突出しており、レンズ鏡筒又は付属するフードの大型化という課題とデザイン性の自由度を狭めるという課題を有する。
【００１３】
本発明はこのような状況に鑑みてなされたものであり、撮影者自身が最適な位置にスイッチ位置を調整することが可能であり、デザインの自由度が確保されながらガタツキなく製品の小型・軽量・低コスト化を実現したレンズ鏡筒を提供することを目的とする。
【課題を解決するための手段】
【００１４】
上記課題を解決するための手段である第１の発明は、レンズ鏡筒外観を構成し、円周方向へ移動する円筒形状の操作部と、前記操作部は同一円周状に１つ以上の操作手段を有し、前記レンズ鏡筒の一部であって、前記操作部と係合する固定部と、前記固定部に前記操作部を固定するロック部と、を有するレンズ鏡筒において、固定筒は、前記ロック部をガイドするためのガイド部を備え、前記ロック部は、部材１と部材２とネジからなり、前記部材１はレンズ鏡筒外観を構成し、前記部材１を回転させることで前記ロック部と前記固定部との締結と開放を切り替えることが可能であり、前記部材２は前記固定部に設けられた前記ガイド部と係合することで、前記操作手段は前記円周方向を移動し、前記部材１と前記部材２は螺合し、前記ネジは、前記部材１と螺合し、前記部材２と係合することで前記部材１の脱落防止することを特徴とするレンズ鏡筒。
【００１５】
また、上述の課題を解決するための手段である第２の発明は、第１の発明であり、前記ロック部は、さらにＯリングを有し、前記Ｏリングは、前記部材１と前記操作部との摺動部に位置することを特徴とするレンズ鏡筒。
【００１６】
また、上述の課題を解決するための手段である第３の発明は、第１の発明又は第２の発明であり、前記ガイド部は、前記固定筒の鏡室部分以外の位置に配置することを特徴とするレンズ鏡筒。
【００１７】
また、上述の課題を解決するための手段である第４の発明は、第１の発明又は第３の発明のいずれかであり、前記ガイド部はプレスパーツであることを特徴とするレンズ鏡筒。
【００１８】
また、上述の課題を解決するための手段である第５の発明は、第１の発明又は第４の発明のいずれかであり、以下に示す条件式を満足することを特徴とするレンズ鏡筒。
（１）      Ｘ＜Ｙ
Ｘ：前記部材１と前記部材２の螺合する長さ
Ｙ：前記部材２と係止するまでの前記ネジの移動可能長さ
【発明の効果】
【００１９】
本発明によれば、撮影者自身が最適な位置にスイッチ位置を調整することが可能であり、デザインの自由度が確保されながらガタツキなく製品の小型・軽量・低コスト化を実現したレンズ鏡筒を提供することができる。
【図面の簡単な説明】
【００２０】
【図１】本発明の実施例に係るレンズ鏡筒の断面図
【図２】本発明の実施例に係る固定筒と周辺のパーツの配置図
【図３】図１に記載のロック機構周辺の拡大図
【図４】本発明の実施例に係るガイドとロック機構の拡大図
【発明を実施するための形態】
【００２１】
以下、添付の図面に従って、本発明を実施するための最良の形態について説明する。なお、この実施の形態により本発明が限定されるものではない。
【００２２】
図１は、本実施例のレンズ鏡筒の操作リング周辺の断面図である。尚、図１は、本発明の説明を簡単にするために簡略化されている。図左側が物体側、右側が像側となる。
【００２３】
本実施例において、１００はレンズ鏡筒、１０１は操作リング、１０２は部材Ａ、１０３は部材Ｂ、１０４はネジ、１０５はＯリング、１０６はガイド、１０７は固定筒、１０８はスイッチとする。
【００２４】
レンズ鏡筒１００は、不図示のカメラ本体に脱着可能であり、レンズ鏡筒１００のマウント部とカメラ本体のマウント部とがバヨネット機構などにより接続される。
【００２５】
操作リング１０１は、スイッチ１０８がレンズ鏡筒１００の外周である円周上に配置されると共に、部材Ａ１０２も配置される。
【００２６】
部材Ａ１０２は、部材Ｂ１０３とネジ１０４とそれぞれ螺合される。この時、部材Ａ１０２と部材Ｂ１０３にてガイド１０６が挟持される。尚、部材Ａ１０２は、レンズ鏡筒１００外部より回転させる必要があるので、図２に示すようにコインなどが入る縦溝が外観露出部にあることが望ましい。
【００２７】
Ｏリング１０５は、操作リング１０１と部材Ａ１０２の摺動部に配置される。このＯリング１０５が配置されることで、レンズ鏡筒１００は防塵防滴性能を有する。
【００２８】
以後、説明する際に、部材Ａ１０２と部材Ｂ１０３とネジ１０４とをロック機構とする。
【００２９】
ガイド１０６は、固定筒１０７に固定されている。ガイド１０６は、固定筒１０７と一体でも、プレスパーツでできていてもよい。また、図２に示すガイド１０６の上側に開示されるように、ガイド１０６の端部にはロック機構を取り付けるための孔と溝を有する。具体的には、部材Ｂ１０３がガイド１０６と係合する。
【００３０】
固定筒１０７は、鏡室部分にて不図示のレンズなどを保持する。
【００３１】
また、ガイド１０６は、固定筒１０７の鏡室部分とは異なる位置に配置される。
【００３２】
スイッチ１０８は、不図示のレンズの各種駆動を制御するのに用いる。また、スイッチ１０８は、操作リング１０１の円周上に複数配置される。この時、９０度ごとに配置されていれば、操作リング１０１の円周上に４つのスイッチ１０８が配置され、１２０度ごとに配置されていれば、操作リング１０１の円周上に３つのスイッチ１０８が配置される。
【００３３】
この時、図２に示すように固定筒１０７に設けられるガイド１０６の周に沿った長さは、スイッチ１０８の数による。スイッチ１０８を操作リング１０１の外周に等間隔で配置する場合、ガイド１０６の長さを３６０／（スイッチ１０８の数）度分とすることで、スイッチ１０８は操作リング１０１の外周上の略すべての位置に設定することが可能となることから、撮影者の適切な位置にスイッチ１０８を調整することが可能となる。尚、図２中ガイド１０６の上側にあるような孔部を有することで、レンズ鏡筒１００の組立時にガイド１０６を固定筒１０７に組付けた後、ロック機構を取り付けることが容易となる。
【００３４】
本願発明は、操作リング１０１の回転と共に操作リング１０１の円周上に配置されるスイッチ１０８と部材Ａ１０２を含むロック機構が一体となって移動する。従って、撮影者は操作リング１０１を光軸周りに回転させて、適切な位置にスイッチ１０８を調整した後、ロック機構を操作することでスイッチ１０８の位置をロックして固定する必要がある。
【００３５】
ロック機構のロック方法を説明する。本願発明のロック機構は、撮影者が固定筒１０１を光軸中心に回転させることで、撮影者にとって適切な位置にスイッチ１０８を調整する。次に、レンズ鏡筒１００の外部に露出している部材Ａ１０２を回転させることで、部材Ａ１０２と部材Ｂ１０３は互いに近づき最終的には、部材Ａ１０２と部材Ｂ１０３の間にガイド１０６を挟持した状態で締結する。ネジ１０４は部材Ａ１０２と部材Ｂ１０３の間に介在する。尚、ネジ１０４はガイド軸となる。この時、図１に示すようにガイド１０６は部材Ａ１０２と部材Ｂ１０３との間に挟持される。ガイド１０６は挟持されることでガイド１０６自体が弾性変形し、部材Ａ１０２と部材Ｂ１０３との接触面積が増加する。その結果、操作リング１０１と一体となって移動する部材Ａ１０２と部材Ｂ１０３がレンズ鏡筒１００と一体となっている固定筒１０７の一部であるガイド１０６との固定力が増す。即ち、操作リング１０１とレンズ鏡筒１００の固定力が増す。また、部材Ａ１０２は、外観へ露出する面に溝を有する。撮影者は、この溝を使うことで、部材Ａ１０２の回転を容易にすることが可能となる。
【００３６】
図３は、図１に記載のロック機構について、拡大したものである。図３を用いてロック機構について、説明する。尚、図３は、スイッチ１０８をロックした状態である。
【００３７】
部材Ａ１０２とネジ１０４は、組立時に締結され、以後一体となって動く。従って、スイッチ１０８を適切な位置に調整後固定する際、撮影者が部材Ａ１０２を回転させることでネジ１０４も一体となって回転する。また、部材Ａ１０２と部材Ｂ１０３は図中Ｘにて螺合し、部材Ａ１０２と部材Ｂ１０３とでガイド１０６を挟持することで、スイッチ１０８が固定される。
【００３８】
また、部材Ａ１０２と部材Ｂ１０３との螺合する長さ（図中Ｘ）と部材Ｂ１０３におけるネジ１０４の移動可能長さ（図中Ｙ）において、Ｘ＜Ｙとすることで、部材Ａ１０２と部材Ｂ１０３の螺合を解除後も、部材Ａ１０２がレンズ鏡筒１００の外側へ飛び出そうとしても、ネジ１０４と部材Ｂ１０３が係止するので、上述したようにネジ１０４と一体となって動く部材Ａ１０２がレンズ鏡筒１００から外れてしまうことを防止する。
【００３９】
詳細に説明すると、上述したように部材Ａ１０２とネジ１０４、部材Ａ１０２と部材Ｂ１０３はそれぞれ締結している。スイッチボタンを調整する際、部材Ａ１０２と部材Ｂ１０３の締結は解除される。そうすると、部材Ａ１０２とネジ１０４は図中上側へ長さＸだけ移動する一方、部材Ｂ１０３はガイド１０６に係止しているのでそのままの位置に留まる。この時、Ｘ＜Ｙであることで、部材Ａ１０２とネジ１０４はＹ−Ｘ分だけ更に上側に移動可能となる。そして部材Ａ１０２と締結されたネジ１０４がＹだけ移動すると、ネジ１０４は部材Ｂ１０３と係止するので、部材Ａ１０２とネジ１０４はレンズ鏡筒から飛び出すことがないことになる。
【００４０】
ガイド１０６は固定筒１０７の鏡室部分とは異なる位置に配置される。上述したように本願発明は、ガイド１０６が部材Ａ１０２と部材Ｂ１０３との間に挟持され、ガイド１０６自体が弾性変形することで上述したように操作リング１０１の固定力を増し、固定している。従って、ガイド１０６が鏡室部分に位置した場合、部材Ａ１０２と部材Ｂ１０３とによって挟持されることで、ガイド１０６が弾性変形し、それにより不図示の光学素子も変形することで光学性能に影響が与えられる恐れがある。
【００４１】
また、従来のロック機構のように固定筒１０７にロック部材を押し当てる構造では、固定筒１０７が変形して、光学性能に影響を与えないようにするために固定筒１０７の強度を上げて変形を抑える必要があるので、重量の増加・大型化によりコストＵＰとなっていた。本願発明は、ガイド１０６が鏡室部分とは異なる位置に配置されるため光学性能に影響を与えることがない。つまり、固定筒１０７の強度を上げる必要がないため、製品の小型化・軽量化・低コスト化が可能である。
【００４２】
さらには、本願発明のロック機構である部材Ａ１０２と部材Ｂ１０３とネジ１０４は、ロック時にレンズ鏡筒１００の外側へ飛び出さないことから、レンズ鏡筒１００のデザインの自由度をＵＰする。
【００４３】
図４を用いて、部材Ｂ１０３の底部について説明する。
【００４４】
図４は、ロック機構周辺を拡大したものである。具体的には、図２において、ロック機構から部材Ａ１０２を取り除きネジ１０４及び部材Ｂ１０３とガイド１０６及び固定筒１０７の位置関係を見たものである。尚、図４は、ネジ１０４と部材Ｂ１０３を正面から見て左側のみガイド１０６があり、右側はガイド１０６を不図示として、部材Ｂ１０３と固定筒１０７の位置関係を確認しやすくしている。
【００４５】
部材Ｂ１０３の形状に着目すると、部材Ｂ１０３の底面の概形はＩカット形状となっている。これは、部材Ｂ１０３が不図示の部材Ａ１０２と締結する際に、部材Ｂ１０３の底面の概形がＩカット形状であることにより、固定筒１０７と係合するので、部材Ｂ１０３と部材Ａ１０２が確実に締結することとなる。従って、ガイド１０６は部材Ａ１０２と部材Ｂ１０３とに挟持されることから、本願発明のロック機構は、ガタツキのないものとなる。尚、部材Ｂ１０３の底面の概形は、Ｉカット形状以外にＤカット形状などでもよく、非円形状であることが望ましい。なぜなら、図４に示すように非円形状とすることで部材Ｂ１０３の底面は、固定筒１０７と係合することで部材Ｂ１０３が空転することを防ぎ確実に部材Ａ１０２と部材Ｂ１０３が締結することとなる。
【００４６】
以上のことから、本願発明のロック機構は、構成部品が少なく済むことから小型・軽量・低コスト化を実現し、デザインの自由度が確保することが可能である。
【符号の説明】
【００４７】
１００    レンズ鏡筒
１０１    操作リング
１０２    部材Ａ
１０３    部材Ｂ
１０４    ネジ
１０５    Ｏリング
１０６    ガイド
１０７    固定筒
１０８    スイッチ
【図１】
2018124301.tif 000003
【図２】
2018124301.tif 000004
【図３】
2018124301.tif 000005
【図４】
2018124301.tif 000006